(57)【要約】【課題】冗長性切替えイベントにおける通信中断を低減させるためのシステム及び方法を提供する。【解決手段】ある実施形態において、サーキュレータネットワークを通しての通信路を切り替えるための方法は、第１の故障部品を特定するステップであって、第１の故障部品が第１の通信路に接続されており、複数の部品が、通信路に連結されていない待機部品及び通信路に連結されている稼動部品を含み、以前に故障していない待機部品及び故障を受けていない稼動部品が動作可能部品であるステップを含む。さらに、方法は、第１の動作可能部品が第１の通信路に接続され、かつ故障部品が第１の通信路から切断されるようにサーキュレータネットワーク内のサーキュレータを切り替えるステップであって、第１の通信路以外の通信路が単一の切替えイベント以下の間遮断されるステップを含む。【選択図】図４Ｆ
2017098959.tif 000002
【特許請求の範囲】
【請求項１】
冗長性サーキュレータネットワーク（１００）であって、
第１の複数のサーキュレータモジュール（１０３）であり、
第１の複数の入力であり、前記第１の複数の入力における各入力を信号が通過する第１の複数の入力、
第１の複数の出力、及び
前記第１の複数の入力を前記第１の複数の出力に接続するように構成される第１の複数のサーキュレータを備える第１の複数のサーキュレータモジュール（１０３）と、
第２の複数のサーキュレータモジュール（１０３）であり、
第２の複数の入力、
第２の複数の出力であり、前記第２の複数の出力における各出力を信号が通過する第２の複数の出力、及び
前記第２の複数の入力を前記第２の複数の出力に接続するように構成される第２の複数のサーキュレータを備える第２の複数のサーキュレータモジュール（１０３）と、
前記第１の複数の出力に連結され、かつ前記第２の複数の入力に連結される複数の部品（１０８）であり、前記第１の複数のサーキュレータモジュール（１０３）及び前記第２の複数のサーキュレータモジュール（１０３）が、前記冗長性サーキュレータネットワークに連結されるサーキュレータスイッチコントローラ（１１０）によって提供される信号に基づいて、前記冗長性サーキュレータネットワーク（１００）を通して複数の通信路を経由させることが可能であり、前記複数の部品（１０８）が複数の稼動部品及び複数の待機部品を含み、前記複数の待機部品が通信路に接続されておらず、故障を受けていない前記１つ又は複数の待機部品における待機部品及び故障を受けていない前記１つ又は複数の稼動部品における稼動部品が複数の動作可能部品である、複数の部品とを備え、
前記複数の部品（１０８）における１つ又は複数の部品が故障し、かつ前記故障した１つ又は複数の部品が前記複数の通信路における１つ又は複数の通信路に接続されているとき、前記サーキュレータスイッチコントローラ（１１０）が、前記複数の待機部品における１つ又は複数の待機部品が前記複数の通信路における通信路に接続され、前記１つ又は複数の通信路が前記複数の動作可能部品における動作可能部品に接続され、かつ前記故障した１つ又は複数の部品が前記複数の通信路から切断されるように前記冗長性サーキュレータネットワーク（１００）を再構成し、前記複数の通信路における前記１つ又は複数の通信路以外の通信路が単一の切替えイベント以下の間遮断される、冗長性サーキュレータネットワーク（１００）。
【請求項２】
前記１つ又は複数の待機部品が２つの待機部品を含む、請求項１に記載の冗長性サーキュレータネットワーク（１００）。
【請求項３】
サーキュレータネットワーク（１００）を通しての通信路を切り替えるための方法であって、
複数の部品（１０８）における第１の故障部品を特定するステップであって、前記第１の故障部品が複数の通信路における第１の通信路に接続されており、前記複数の部品（１０８）が、通信路に連結されていない１つ又は複数の待機部品及び前記複数の通信路における１つ又は複数の通信路にそれぞれ連結されている１つ又は複数の稼動部品を含み、以前に故障していない前記１つ又は複数の待機部品における待機部品及び故障を受けていない前記１つ又は複数の稼動部品における稼動部品が複数の動作可能部品であるステップと、
前記サーキュレータネットワーク（１００）におけるサーキュレータを、前記複数の動作可能部品における第１の動作可能部品が前記複数の通信路における前記第１の通信路に接続され、かつ前記故障部品が前記第１の通信路から切断されるように切り替えるステップであって、前記複数の通信路における前記第１の通信路以外の通信路が単一の切替えイベント以下の間遮断されるステップと
を含む方法。
【発明の詳細な説明】
【技術分野】
【０００１】
本発明は、冗長性切替えイベントにおける通信中断を低減させるためのシステム及び方法に関する。
【背景技術】
【０００２】
[0001]ある種の通信ネットワークでは、ネットワーク内のいくつか通信ノードには、通信ノード上の機器が故障を受けた場合、修理のために容易には近づくことができない。たとえば、宇宙空間に設置された通信ノードには事実上近づくことができず、そのため、その故障機器は修理されることができない。故障が通信ノードの動作に影響するのを防止するために、通信ノード上の通信機器は、通信機器を通しての任意の通信路の冗長性を増強する待機機器を含む。どの通信路が通信機器を通して使用されるかを制御するために、スイッチネットワークが使用されて故障機器から待機機器に通信路を切り替える。
【０００３】
[0002]少なくとも１つの例において、低雑音増幅器は故障を起こしやすい。したがって、通信ノードはいくつかの予備増幅器を含むことになる。たとえば、任意の所与の時間に、通信ノードは多くてＭ個の増幅器を使用し得る。Ｍ個の増幅器のいずれかが故障を受けたときに、スイッチネットワークが現在稼動中でないＮ個の増幅器のうちの１つを通って通信路を切り替え、かつ故障した増幅器から離れて通信路を切り替えるように、通信機器はＮ個の増幅器を含んでもよい。増幅器及びスイッチネットワークのこの冗長構成は、Ｍ対Ｎ冗長性（たとえば「８対１０」冗長性）と称されてもよい。スイッチネットワークは、スイッチングフェライトサーキュレータのネットワークを使用して実装されることができる。
【０００４】
[0003]ある実装において、スイッチネットワークを通しての通信が中断されないように、システムは、特定の時間内での故障部品から作動中部品への切替えの完了を要求する通信要件によって制約され得る。しかしながら、多くのサーキュレータを有するスイッチネットワークを通して経路を切り替えることは、複数の異なるサーキュレータの切替えを引き起こすことがあり、これによって故障部品から作動中部品に切り替えるときに、時間が時間制約を超えるようになることがある。
【発明の概要】
【発明が解決しようとする課題】
【０００５】
本発明はこのような課題を解決するものである。
【課題を解決するための手段】
【０００６】
[0004]冗長性切替えイベントにおける通信中断を低減させるためのシステム及び方法が提供される。ある実施形態において、サーキュレータネットワークを通して通信路を切り替えるための方法は、複数の部品における第１の故障部品を特定するステップであって、第１の故障部品が複数の通信路における第１の通信路に接続されており、複数の部品が、通信路に連結されていない１つ又は複数の待機部品及び複数の通信路における１つ又は複数の通信路にそれぞれ連結されている１つ又は複数の稼動部品を含み、以前に故障していない１つ又は複数の待機部品における待機部品及び故障を受けていない１つ又は複数の稼動部品における稼動部品が、複数の動作可能部品であるステップを含む。さらに、方法は、複数の動作可能部品における第１の動作可能部品が複数の通信路における第１の通信路に接続され、かつ故障部品が第１の通信路から切断されるようにサーキュレータネットワーク内のサーキュレータを切り替えるステップであって、複数の通信路における第１の通信路以外の通信路が単一の切替えイベント以下の間遮断されるステップを含む。
【０００７】
[0005]図面は例示的な実施形態のみを示しており、したがって範囲が限定的であると考えられるべきではないとの理解の下に、例示的な実施形態は、添付の図面の使用を通してさらに特定してかつ詳細に記載されることになる。
【図面の簡単な説明】
【０００８】
【図１】[0006]本開示に記載される１つの実施形態における冗長スイッチングネットワークのブロック図である。
【図２Ａ】[0007]本開示に記載される１つの実施形態におけるスイッチングネットワーク内のサーキュレータモジュールの、及びサーキュレータモジュールの実装のための概略図を例示する。
【図２Ｂ】本開示に記載される１つの実施形態におけるスイッチングネットワーク内のサーキュレータモジュールの、及びサーキュレータモジュールの実装のための概略図を例示する。
【図３】[0008]本開示に記載される１つの実施形態における経路モジュールにおけるサーキュレータモジュールの実装を例示する。
【図４Ａ】[0009]本開示に記載される１つの実施形態における冗長性ネットワーク内のサーキュレータの漸進的切替えを例示する。
【図４Ｂ】本開示に記載される１つの実施形態における冗長性ネットワーク内のサーキュレータの漸進的切替えを例示する。
【図４Ｃ】本開示に記載される１つの実施形態における冗長性ネットワーク内のサーキュレータの漸進的切替えを例示する。
【図４Ｄ】本開示に記載される１つの実施形態における冗長性ネットワーク内のサーキュレータの漸進的切替えを例示する。
【図４Ｅ】本開示に記載される１つの実施形態における冗長性ネットワーク内のサーキュレータの漸進的切替えを例示する。
【図４Ｆ】本開示に記載される１つの実施形態における冗長性ネットワーク内のサーキュレータの漸進的切替えを例示する。
【図５】[0010]本開示に記載される１つの実施形態における冗長性ネットワーク内での切替えのためのタイミンググラフを例示する。
【図６Ａ】[0011]本開示に記載される１つの実施形態における経路モジュールにおけるサーキュレータモジュールの実装を例示する。
【図６Ｂ】本開示に記載される１つの実施形態における経路モジュールにおけるサーキュレータモジュールの実装を例示する。
【図７Ａ】[0012]本開示に記載される１つの実施形態における冗長性ネットワーク内のサーキュレータの漸進的切替えを例示する。
【図７Ｂ】本開示に記載される１つの実施形態における冗長性ネットワーク内のサーキュレータの漸進的切替えを例示する。
【図７Ｃ】本開示に記載される１つの実施形態における冗長性ネットワーク内のサーキュレータの漸進的切替えを例示する。
【図７Ｄ】本開示に記載される１つの実施形態における冗長性ネットワーク内のサーキュレータの漸進的切替えを例示する。
【図８Ａ】[0013]本開示に記載される実施形態に記載されるようなスイッチングサーキュレータの異なる組合せを例示する。
【図８Ｂ】本開示に記載される実施形態に記載されるようなスイッチングサーキュレータの異なる組合せを例示する。
【図８Ｃ】本開示に記載される実施形態に記載されるようなスイッチングサーキュレータの異なる組合せを例示する。
【図８Ｄ】本開示に記載される実施形態に記載されるようなスイッチングサーキュレータの異なる組合せを例示する。
【図８Ｅ】本開示に記載される実施形態に記載されるようなスイッチングサーキュレータの異なる組合せを例示する。
【図８Ｆ】本開示に記載される実施形態に記載されるようなスイッチングサーキュレータの異なる組合せを例示する。
【図８Ｇ】本開示に記載される実施形態に記載されるようなスイッチングサーキュレータの異なる組合せを例示する。
【図８Ｈ】本開示に記載される実施形態に記載されるようなスイッチングサーキュレータの異なる組合せを例示する。
【図９】[0014]本開示に記載される１つの実施形態における冗長性ネットワークの実装のための概略図を例示する。
【図１０】[0015]本開示に記載される１つの実施形態における冗長性ネットワークの実装のための概略図を例示する。
【図１１】[0016]本開示に記載される１つの実施形態における冗長性ネットワークの実装のための概略図を例示する。
【図１２】[0017]本開示に記載される１つの実施形態における冗長性ネットワークの実装のための概略図を例示する。
【図１３】[0018]本開示に記載される１つの実施形態におけるサーキュレータ冗長性ネットワークを通して通信路を切り替えるための方法のためのフロー図である。
【発明を実施するための形態】
【０００９】
[0019]慣例に従って、様々な記載される特徴は原寸に比例して示されておらず、例示的な実施形態に関連する特定の特徴を強調するように示されている。
[0020]以下の詳細な記載において、本明細書の一部を形成し、かつ特定の例示的な実施形態が例示として図示される添付の図面を参照する。しかしながら、他の実施形態が使用されてもよいこと、並びに論理、機械的及び電気的変更がなされてもよいことを理解されたい。さらにまた、図面及び明細書に提示される方法は、個々のステップが行われてもよい順序を限定するものと解釈されるべきではない。以下の詳細な記載は、したがって、限定的な意味にとられるべきではない。
【００１０】
[0021]本明細書に記載される実施形態は、シリアル切替えイベントにおける通信接続性を増強するためのシステム及び方法を提供する。そのため、本開示は、切替えのための時間要件が満たされるようにネットワークを急速に切り替えるための切替え方式を定める。様々な実装が、互いに接続されてＭ対Ｎ冗長性ネットワークを形成することができるサーキュレータモジュールを提供するために記載される。異なるサーキュレータモジュールが、相互接続ポート間の短い導波管片を使用して互いに接続される。さらに、整合負荷が任意の不必要なポート及び未接続の相互接続ポートに使用される。たとえば、サーキュレータモジュールはＮ／２個の入力ポート及びＮ／２個の出力ポートを有してもよい。サーキュレータモジュールの２つが相互接続ポート間の短い導波管片を使用して共に接続されると、結果としてのネットワークはＭ個の入力ポート及びＭ個の出力ポート及び複数の未接続の相互接続ポートを有する。ネットワークは、整合負荷で未接続の相互接続ポート及びＮ−Ｍ個の出力ポートを終端することによってＭ対Ｎ冗長性ネットワークへと構成されてもよい。
【００１１】
[0022]ある実装において、冗長性ネットワークがＮ個の部品に接続される場合、ネットワークを通してＭ個の通信経路があれば、Ｎ＞Ｍとして、Ｎ−Ｍ個の予備部品がある。Ｎ個の部品のうちの１つがＭ個の通信経路のうちの１つにおいて故障すると、冗長性ネットワークを通してのＭ個の通信経路は、変更される通信路の中断が低減されるような仕方で再配置されてもよい。たとえば、通信路は数マイクロ秒程度の無視できるほどの継続時間の間中断されてもよい。ある実装において、第１の故障は、非故障部品を通る通信路に、モジュールにおける単一のサーキュレータを切り替える時間量に等しい継続時間を有する中断を受けさせる。他の実装において、第１の故障部品から冗長部品への通信経路の切替えは他の作動中部品を中断しない。
【００１２】
[0023]図１は、サーキュレータモジュールから製作される冗長性ネットワークを実装するシステム１００の一部分のブロック図である。図示されるような１つの実装において、システム１００は、信号を送受信する通信ノードの一部である。たとえば、システム１００はアンテナ１０２を通じて信号を受信する。信号は少なくとも１つの増幅器１０８によって増幅され、次いで送受信器１０４によって処理される。少なくとも１つの実装において、増幅器１０８は低雑音増幅器、電力増幅器、進行波管増幅器などでもよい。また、ある実装において、送受信器１０４は、増幅器１０８によって増幅され、次いで通信ネットワーク内の別の通信ノードへの照射のためにアンテナ１０２に提供される信号を提供する。ある実施形態において、システム１００は、システム上の部品が障害を受けたときに修理のために近づくことができないプラットフォームに実装される。たとえば、システム１００は、宇宙空間に設置される衛星又は他の近づくことができない場所に実装され得る。少なくとも１つの実施形態において、システム１００における増幅器１０８は、システム１００の寿命の間に故障を受けることがある。故障がシステム１００の動作に否定的に影響するのを防止するために、システム１００が動作を始めるときに、システム１００は複数の増幅器１０８を含んでもよく、そこで増幅器１０８の一部分は、動作中増幅器が故障する場合に備えて待機増幅器として機能する。動作中増幅器が故障すると、スイッチングネットワーク１０３は、故障ＬＮＡを通過する通信路を待機ＬＮＡを通過するように変更する。図１に図示されるように、増幅器１０８は電子部品の例として使用され、そこで部品の入出力ポートは、導波管、マイクロストリップ、同軸ケーブルなどを含む伝送媒体を通して他の部品に接続してもよい。少なくとも１つの実装において、部品は、部品が異なる伝送媒体に製作される他の部品とインタフェースすることを可能にするアダプタを介して他の部品に接続してもよい。スイッチングネットワーク１０３が、本明細書に記載されるように、動作中部品を通る電気経路を待機部品に変更するために使用されることができることが意図される。
【００１３】
[0024]ある実装において、スイッチングネットワーク１０３はサーキュレータモジュール１０６から成る。サーキュレータモジュール１０６は、互いに相互接続されてより大きいスイッチングネットワーク１０３を生成することができるサーキュレータのモジュラネットワークである。少なくとも１つの実施形態において、サーキュレータモジュール１０６は、互いに接続されていくつかのモジュール入力及びモジュール出力間の切替え能力を提供する複数のフェライトサーキュレータを含む。ある実装において、サーキュレータモジュール１０６におけるフェライトサーキュレータは導波管サーキュレータでもよく、そこで各サーキュレータは共通の接合点において交わる、１２０°で配置される３つのアームを有する。共通の接合点は、フェライトなどの非可逆材料が装着されてもよい。共通の接合点で設置されるフェライト素子に磁界が生成されると、磁気回転効果が使用されて１つの導波管アームから別の１つにマイクロ波信号を切り替えることができる。磁界の方向を逆にすることによって、導波管アーム間の切替えの方向が逆にされる。したがって、スイッチングサーキュレータは固定バイアスサーキュレータに機能的に同等であるが、選択可能な循環方向を有する。ＲＦエネルギーは、１つの導波管アームから２つの出力アームのいずれかに低挿入損失で送られることができる。導波管アームの１つが整合負荷において終端されれば、１つの伝搬方向に高損失及びその他の方向に低損失となって、サーキュレータはアイソレータとしての働きをする。磁界の方向を逆にすることは、高低絶縁の方向を逆にすることになる。
【００１４】
[0025]ある実施形態において、異なるサーキュレータモジュール１０６におけるフェライトサーキュレータのための磁化方向を制御するために、システム１００はサーキュレータスイッチコントローラ１１０を含む。サーキュレータスイッチコントローラ１１０は、各サーキュレータのための循環方向を制御する、個々のサーキュレータへの電気信号を送る。たとえば、サーキュレータスイッチコントローラ１１０は、特定のサーキュレータにおける循環方向を変更する、そのサーキュレータへの高電流パルスを送る。ある実装において、サーキュレータスイッチコントローラ１１０は、システム１００における各サーキュレータと関連づけられる別々のドライバを含み、そこでドライバは個々のサーキュレータに切替え信号を提供する。少なくとも１つの他の実装において、切替え時間が重要でない場合、サーキュレータスイッチコントローラ１１０は、サーキュレータモジュール１０６における別々のサーキュレータに対して多重化される単一のドライバを含んでもよい。さらなる実施形態において、サーキュレータスイッチコントローラは、ユーザが別の装置を通じて直接切替えを制御することを可能にするインタフェースを含む。
【００１５】
[0026]サーキュレータモジュール１０６は、各フェライト素子間のインピーダンス整合遷移を典型的に有する複数のフェライト素子を含む。たとえば、従来の導波管サーキュレータは、１つのフェライト素子から、４分の１波長誘電体変成器構造などの誘電体充填導波管に、空気充填導波管に、次いで別の誘電体充填導波管部分及び次のフェライト素子に戻って遷移してもよい。誘電体変成器は、フェライト素子のより低いインピーダンスを空気充填導波管のそれに整合させるために典型的に使用する。
【００１６】
[0027]上記のように、サーキュレータモジュール１０６は複数の導波管サーキュレータを含んでもよい。さらに、サーキュレータモジュール１０６は、フェライトサーキュレータのいくつかにおけるあるポートの絶縁のための複数の負荷素子も含んでもよく、そこで複数の負荷素子は空気充填導波管インタフェースのインピーダンスを整合させるように設計される。サーキュレータ及び負荷素子は、サーキュレータモジュール１０６のモジュラ設計に従って様々な構成で接続されることができる。ある実装において、システムにおける所望の待機部品の数が、特定のサーキュレータモジュールを設計するために使用されるモジュラ設計の型を決定する。たとえば、システム１００は、Ｎ個の増幅器１０８を有し、そこでＭ個の増幅器１０８が任意の所与の時間に動作中である場合、送受信器１０４とアンテナ１０２との間で利用可能な通信路が常にＭ個あるようにＮ−Ｍ個の待機増幅器１０８がシステム１００における通信路に切り替えられることができるように切替えを提供する。Ｎ−Ｍが増加するにつれて、対応サーキュレータモジュール１０６の大きさも徐々に増大する。
【００１７】
[0028]図２Ａは、サーキュレータモジュール１０６と同様である複数のサーキュレータモジュール２００から製作される冗長性ネットワーク２１０の例示的な実施形態を例示する。例示されるように、冗長性ネットワーク２１０は８つの入力、８つの出力及び１０個の部品を含む。冗長性ネットワークは、冗長性ネットワークを通しての８つの別々の通信路を一度に提供することが可能である。ある実装において、８つの入力が各々別々の部品に接続され、そこで１０個の部品のうちの８つが動作中である。冗長性ネットワークが最初に動作し始めるとき、動作中でない２つの部品は待機部品である。８つの動作部品のうちの１つが故障を受けると、冗長性ネットワーク２１０は故障部品から待機部品の一方に通信路を切り替える。
【００１８】
[0029]ある実装において、冗長性ネットワーク２１０がＮ−Ｍ＝２冗長性を有するとき、冗長性ネットワーク２１０において見て取れるように、冗長性ネットワーク２１０は変形サーキュレータモジュール２１５を含んでもよい。変形サーキュレータモジュール２１５は、サーキュレータモジュール２００から入出力を削除し、かつ入出力の削除にともなって余分になる回路網を削除することによって形成される。図２に図示されるように、変形サーキュレータモジュール２１５は変形サーキュレータモジュールの例示的な実装である。他の構成が使用されてもよく、そこで構成のいくつかは余分なサーキュレータ及び他の部品を含む。回路網の削除によって形成される任意の開放した導波管部分は整合負荷で終端されてもよい。図示されるように、冗長性ネットワーク２１０において、変形サーキュレータモジュール２１５によって部品２０２から受信される信号は隣接サーキュレータモジュール２００へと循環される。反対に、隣接サーキュレータモジュール２００から変形サーキュレータモジュール２１５へと循環される任意の信号は部品２０２へと循環される。
【００１９】
[0030]図２Ｂは、サーキュレータモジュール２００を例示する。例示されるように、サーキュレータモジュール２００は複数のサーキュレータ２５２、２５６、２５７、２５８及び２５９、並びに導波管部分を終端する複数の整合負荷２０４を含む。さらに、各サーキュレータモジュール２００は相互接続ポート２０６及び２０７を含む。相互接続ポート２０６及び２０７は、信号が１つのサーキュレータモジュール２００からサーキュレータモジュール２００と同様でも、又は同様でなくてもよい隣接サーキュレータモジュールに移ることを可能にする導波管の短片を含んでもよい。さらに、サーキュレータモジュールは他の部品に接続するための相互接続子２０８及び２０９を含む。
【００２０】
[0031]図３は経路モジュール３００を例示し、そこで経路モジュール３００は、単一の増幅器３０２又は部品の２つの異なるポートにそれぞれ接続される、図２Ｂに記載されるような２つの異なるサーキュレータモジュールを含む。ある実装において、増幅器３０２の一方の側に接続されるサーキュレータモジュールにおけるサーキュレータは、同じ増幅器に接続される別のサーキュレータモジュールにおけるサーキュレータに対応してもよい。ある実装において、図１におけるサーキュレータスイッチコントローラ１１０などのサーキュレータスイッチコントローラが対応サーキュレータに同じ制御信号を送る。たとえば、サーキュレータ３５２は同じ制御信号によって制御されてもよく、その結果サーキュレータ３５２のすべてが信号を時計方向に循環させるか、又は信号を反時計方向に循環させる。同様に、サーキュレータ３５６は互いに対応し、サーキュレータ３５７は互いに対応する。また、ある実装において、サーキュレータ３５８はサーキュレータ３６１と対応し、サーキュレータ３５９はサーキュレータ３６０と対応する。異なるサーキュレータを同じ制御信号によって制御させることによって、冗長性ネットワークの動作をサポートするために使用される回路量が低減される。同様に、入出力３０６、３０７、３０８、３０９、３１０及び３１１は図２Ｂに関して上述した入出力と同様に機能する。
【００２１】
[0032]図４Ａ〜４Ｇは、冗長性ネットワーク４１０を通しての通信路の構成を例示し、そこで冗長性ネットワーク４１０は冗長性ネットワーク２１０と同様である。例示されるように、冗長性ネットワーク４１０はＬＮＡ１〜ＬＮＡ１０という番号をつけられた１０個のＬＮＡを有する。例示されるように、ＬＮＡは部品の冗長集合を表す。ある代替実装において、部品の冗長集合はＬＮＡ以外の他の動作部品を含んでもよい。例示されるように、冗長性ネットワーク４１０は冗長性ネットワーク４１０を通しての８つの通信経路を含む。通信経路の各々は一対の入出力を有する。ある実装において、冗長性ネットワーク４１０を通しての通信は一方向である。しかしながら、他の実装において、冗長性ネットワーク４１０を通しての通信は双方向である。冗長性ネットワーク４１０を通しての通信が双方向であるとき、冗長性ネットワーク４１０を通しての通信の方向に依存して、入力は出力として機能してもよく、かつ出力は入力として機能してもよい。例示された冗長性ネットワーク４１０を通して８つの通信経路があるので、入出力の２つの異なる集合がある。入出力の第１の集合は入出力Ｊ１〜Ｊ８によって表され、入出力の第２の集合は入出力Ｊ９〜Ｊ１６によって表される。さらに、一対の入出力が各通信経路と対応するように、入出力Ｊ１〜Ｊ８は入出力Ｊ９〜Ｊ１６とそれぞれ対応し、そこで一対の入出力における一方の入出力は入出力の第１の集合からであり、一対の入出力における第２の入出力は入出力の第２の集合からである。
【００２２】
[0033]図４Ａは、冗長性ネットワーク４１０のための初期構成を例示する。例示されるように、冗長性ネットワーク４１０は８つの通信経路及び１０個の動作ＬＮＡを有する。したがって、２つの待機ＬＮＡがあり、それらはＬＮＡ１及びＬＮＡ１０によって示される。したがって、ＬＮＡ２〜ＬＮＡ９が初期動作部品として指定されてもよい。上記のように、各入出力は、動作部品と対応する一対の入出力の一部である。初期構成に例示されるように、入出力Ｊ１及びＪ９は、第１の動作部品ＬＮＡ２を通る第１の通信路のための入出力である。入出力Ｊ２及びＪ１０は、第２の動作部品ＬＮＡ３を通る第２の通信路のための入出力である。入出力Ｊ３及びＪ１１は、第３の動作部品ＬＮＡ４を通る第３の通信路のための入出力である。入出力Ｊ４及びＪ１２は、第４の動作部品ＬＮＡ５を通る第４の通信路のための入出力である。入出力Ｊ５及びＪ１３は、第５の動作部品ＬＮＡ６を通る第５の通信路のための入出力である。入出力Ｊ６及びＪ１４は、第６の動作部品ＬＮＡ７を通る第６の通信路のための入出力である。入出力Ｊ７及びＪ１５は、第７の動作部品ＬＮＡ８を通る第７の通信路のための入出力である。入出力Ｊ８及びＪ１６は、第８の動作部品ＬＮＡ９を通る第８の通信路のための入出力である。
【００２３】
[0034]ある実装において、かつ例示されるように、各通信路は図３に例示されるような経路モジュールを通る。冗長性ネットワーク４１０の初期構成の間、経路モジュールにおけるサーキュレータは、信号が増幅器３０２を通って、かつ対応出力に伝搬するようにそれらを循環させるように構成される。たとえば、経路モジュール３００に注目すると、当業者によって理解されるように、サーキュレータ３５８、３５９、３６０及び３６１は信号を反時計方向に循環させるように構成され、サーキュレータ３５２、３５６及び３５７は信号を時計方向に循環させるように構成されてもよい。時計方向及び反時計方向は、サーキュレータが互いに関してどのように構成されるかを示すために関係語として主に使用されることに留意されたい。経路モジュール３００が記載されるように構成されると、ポート３０８での信号入力は、信号が増幅器３０２を通って、かつポート３１１で経路モジュール３００の外に伝搬するように循環されることになる。反対に、ポート３１１での信号入力は、信号が増幅器３０２を通って、かつポート３０８で経路モジュールの外に伝搬するように循環されることになる。
【００２４】
[0035]図４Ｂは、冗長性ネットワーク４１０を例示し、そのときＬＮＡは故障を受ける。たとえば、図４Ｂに例示されるように、ＬＮＡ５が故障を受ける。動作部品が故障すると、通信路は、通信路が待機部品を含むように切り替わるように再構成される。たとえば、ＬＮＡ１０又はＬＮＡ１が、冗長性ネットワーク４１０を通しての再構成される通信路の一部になってもよい待機部品として特定されてもよい。しかしながら、通信路のサーキュレータを切り替えてＬＮＡ１０を組み込むことは、まだ故障を受けていない動作部品を貫く通信路を遮断する。たとえば、通信路がＬＮＡ１０を含むように再構成されるとき、Ｊ５からＪ１３へＬＮＡ６を通る、Ｊ６からＪ１４へＬＮＡ７を通る、Ｊ７からＪ１５へＬＮＡ８を通る、及びＪ８からＪ１６へＬＮＡ９を通る通信路は遮断を受けることになる。遮断の継続時間を制限するために、異なる経路モジュール３００におけるサーキュレータは、各通信路が単一のサーキュレータの切替えのために使用される時間に等しい遮断を受けるような仕方で再構成されてもよい。
【００２５】
[0036]図４Ｃは、Ｊ８からＪ１６への通信路がＬＮＡ１０を通るように、Ｊ８からＪ１６へＬＮＡ９を通る通信路が切り替えられた後の冗長性ネットワーク４１０を例示する。経路を再構成するために、変形サーキュレータモジュールの一部であるサーキュレータが、図２Ａにおける変形サーキュレータモジュール２１５に関して上述した通り、隣接サーキュレータモジュール３００から受信される信号がＬＮＡ１０を通って、かつ隣接サーキュレータモジュール３００へと戻って経由されるように信号を循環させるように再構成されてもよいか、又はすでに構成されていてもよい。変形サーキュレータモジュールが適切に構成されると、通信路の一部でないサーキュレータは、経路モジュール３００における単一対の対応サーキュレータのみが切り替えられて、Ｊ８からＪ１６へＬＮＡ９を通る通信路をＬＮＡ９がＬＮＡ１０に切り替わるように再構成するように構成される。特に、サーキュレータは、サーキュレータ３５８及び３６１が反時計方向から時計方向に切り替えられると通信路がＬＮＡ９からＬＮＡ１０に切り替わるように再構成される。したがって、Ｊ８からＪ１６への通信路は、サーキュレータ３５８及び３６１を切り替えるために必要とされる時間に等しい継続時間の間遮断され、そのサーキュレータは同じ制御信号で切り替えられてもよい。
【００２６】
[0037]図４Ｄは、Ｊ７からＪ１５への通信路がＬＮＡ９を通るように、Ｊ７からＪ１５へＬＮＡ８を通る通信路が切り替えられた後の冗長性ネットワーク４１０を例示する。経路を再構成するために、ＬＮＡ８及びＬＮＡ９を含む経路モジュール３００は、現在動作通信路でないサーキュレータを含む。動作通信路でないサーキュレータは、Ｊ７からＪ１５へＬＮＡ９を通る通信路を再構成するように再構成される。非動作サーキュレータがＬＮＡ８を含む経路モジュール３００において適切に構成されると、サーキュレータ３５８及び３６１が反時計方向から時計方向に切り替えられる。サーキュレータ３５８及び３６１が切り替えられると、通信路はＬＮＡ８からＬＮＡ９に切り替わる。したがって、Ｊ７からＪ１５への通信路は、サーキュレータ３５８及び３６１を切り替えるために必要とされる時間に等しい継続時間の間遮断され、そのサーキュレータは同じ制御信号で切り替えられてもよい。
【００２７】
[0038]図４Ｅは、Ｊ６からＪ１４への通信路がＬＮＡ８を通るように、Ｊ６からＪ１４へＬＮＡ７を通る通信路が切り替えられた後の冗長性ネットワーク４１０を例示する。さらに、Ｊ５からＪ１３への通信路がＬＮＡ７を通るように、Ｊ５からＪ１３へＬＮＡ６を通る通信路も切り替えられた。これらの通信路は、図４Ｃ及び４Ｄに関して上述した通信路の切替えと同様に変更された。したがって、切り替えられた通信路は各々、単一のサーキュレータを切り替えるために必要とされる時間に等しい期間の間中断された。
【００２８】
[0039]図４Ｆは、Ｊ４からＪ１２への通信路がＬＮＡ６を通るように、Ｊ４からＪ１２へＬＮＡ５を通る通信路が切り替えられた後の冗長性ネットワーク４１０を例示する。ＬＮＡ５を通る経路はＬＮＡ５の故障によりすでに遮断されているが、しかしながらこの通信路は、単一のサーキュレータを再構成するために必要とされる時間の間それが中断されるにすぎないように上述した通り再構成されてもよい。Ｊ４からＪ１２への通信路が再構成されたら、８つの通信路は、通信路が動作部品を通過するように再構成されるようになる。
【００２９】
[0040]図５は、冗長性ネットワーク４１０の異なる入力を通して提供される信号の遮断を例示するタイミングチャートを例示する。例示されるように、時間０で、Ｊ４は低であり、一方入力Ｊ１〜Ｊ３及びＪ５〜Ｊ８は高である。低信号はＪ４を通る経路における部品が故障したことを示し、その部品は上述したようにＬＮＡ５である。部品が故障したので、冗長性ネットワーク４１０のためのサーキュレータスイッチコントローラは、Ｊ４が動作ＬＮＡに接続するようにサーキュレータを変更し始める。たとえば、Ｊ８からの通信路がＬＮＡ９からＬＮＡ１０に切り替わり、Ｊ７からの通信路がＬＮＡ８からＬＮＡ９に切り替わり、Ｊ６からの通信路がＬＮＡ７からＬＮＡ８に切り替わり、Ｊ５からの通信路がＬＮＡ６からＬＮＡ７に切り替わり、Ｊ４からの通信路が故障ＬＮＡ５からＬＮＡ６に切り替わる。例示されるように、経路が１つのＬＮＡから別のＬＮＡに切り替わるときに、通信路は瞬間的な遮断を受ける。しかしながら、サーキュレータが上述したように再構成されると、瞬間的な遮断は、単一のサーキュレータを切り替えるために必要とされる時間に等しく、したがって動作経路への影響を低減させる。
【００３０】
[0041]図６Ａは、サーキュレータモジュール６００の別の例示的な実装を例示する。例示されるように、サーキュレータモジュール６００は複数のサーキュレータ６５２、６５６、６５７、６５８及び６５９並びに導波管部分を終端する複数の整合負荷６０４を含む。さらに、各サーキュレータモジュール６００は相互接続ポート６０６及び６０７を含む。相互接続ポート６０６及び６０７は、信号が１つのサーキュレータモジュール６００からサーキュレータモジュール６００と同様でも、又は同様でなくてもよい隣接サーキュレータモジュールに移ることを可能にする導波管の短片を含んでもよい。さらに、サーキュレータモジュールは他の部品に接続するための相互接続子６０８及び６０９を含む。
【００３１】
[0042]図６Ｂは、経路モジュール６０２を例示し、そこで経路モジュール６０２は、単一の増幅器６１０又は他の部品の２つの異なるポートにそれぞれ接続される、図６Ａに記載されるような２つの異なるサーキュレータモジュール６００を含む。ある実装において、増幅器６１０の１つのポートに接続されるサーキュレータモジュールにおけるサーキュレータは、同じ増幅器６１０の異なるポートに接続される別のサーキュレータモジュールにおけるサーキュレータに対応してもよい。ある実装において、図１におけるサーキュレータスイッチコントローラ１１０などのサーキュレータスイッチコントローラは対応するサーキュレータに同じ制御信号を送ってもよい。たとえば、経路モジュール６００にわたるサーキュレータ６５６は互いに対応し、サーキュレータ６５７は互いに対応する。また、ある実装において、サーキュレータ６５８はサーキュレータ６６１と対応し、サーキュレータ６５９はサーキュレータ６６０と対応する。異なるサーキュレータを同じ制御信号によって制御させることによって、冗長性ネットワークの動作をサポートするために使用される回路量が低減される。同様に、入出力６０６、６０７、６０８、６０９、６１２及び６１１は図６Ａに関して上述した入出力と同様に機能する。
【００３２】
[0043]図７Ａ〜７Ｄは、冗長性ネットワーク７００が２つの部品で故障を受けたときの冗長性ネットワーク７００におけるサーキュレータの再構成を例示する。図７Ａに例示されるように、冗長性ネットワーク７００は、図６Ａ及び６Ｂに関して上述したように機能する複数の経路モジュールを含む。上述したように、経路モジュールはサーキュレータモジュール６００から成り、ある実装において、経路モジュールは変形サーキュレータモジュールから成ってもよく、それは本質的でないサーキュレータ及び相互接続が削除される限り、図２Ａに関して上述した変形サーキュレータモジュール２１５と同様の方式で機能する。図７Ａに例示されるように、サーキュレータモジュールはサーキュレータモジュール６００−１〜６００−２０と称される。最初は、サーキュレータモジュール６００−１〜６００−２０の各々は増幅器２から増幅器１１までの１つに接続され、そこでサーキュレータモジュール６００−１〜６００−１０はそれぞれの増幅器２から増幅器１１までに入力を提供し、サーキュレータモジュール６００−１１〜６００−２０はそれぞれの増幅器２から増幅器１１までから出力を提供する。サーキュレータモジュール６００−１〜６００−２０は最初は、増幅器１及び増幅器１２に対して入力又は出力として機能しないので、増幅器１及び増幅器１２は待機増幅器として機能する。
【００３３】
[0044]図７Ｂは、増幅器７が故障したときの冗長性ネットワーク７００の再構成を例示する。たとえば、増幅器７が故障すると、サーキュレータモジュール６００−６〜６００−１０に対する入力からの通信路は、それらがそれぞれ増幅器８から増幅器１２までを通過し、次いでそれぞれサーキュレータモジュール６００−１６〜６００−２０の出力を通り続けるように再構成される。サーキュレータモジュールを再構成するために、構成モジュールはサーキュレータ１〜１４を通して示される順序に従って切り替えられる。図示されるように、入力サーキュレータモジュール６００−６〜６００−１０における各番号は、出力サーキュレータモジュール６００−１６〜６００−２０における対応サーキュレータ１〜１４を有する。サーキュレータは同じ番号を有して、それらが同時に切り替えられる、又はサーキュレータスイッチコントローラから送られる同じ制御信号で切り替えられることを示す。サーキュレータが図示の順序に従って切り替えられるとき、動作通信路は、単一のサーキュレータを切り替えるために使用される時間の間遮断されることになる。
【００３４】
[0045]図７Ｃ及び７Ｄは、冗長性ネットワークが第２の故障増幅器を受けたときのサーキュレータ再構成を例示する。詳細には、図７Ｃは増幅器５が故障したときの再構成を例示し、図７Ｄは増幅器１０が故障したときの再構成を例示する。両増幅器故障は、図７Ｂに関連して上述したような増幅器７の故障及びその後の再構成後に起こるものとする。記載したように、図７Ｃは、増幅器７の故障後に増幅器５が故障したときの冗長性ネットワーク７００の再構成を例示する。たとえば、増幅器５が故障すると、サーキュレータモジュール６００−１〜６００−４に対する入力からの通信路は、それらがそれぞれ増幅器１から増幅器４までを通過し、次いでそれぞれサーキュレータモジュール６００−１１〜６００−１４の出力を通り続けるように再構成される。サーキュレータモジュールを再構成するために、構成モジュールはサーキュレータ１〜１０を通して示される順序に従って切り替えられる。図示されるように、入力サーキュレータモジュール６００−１〜６００−４における各番号は、出力サーキュレータモジュール６００−１１〜６００−１４における対応サーキュレータ１〜１０を有する。サーキュレータは同じ番号を有して、それらが同時に切り替えられる、又はサーキュレータスイッチコントローラから送られる同じ制御信号で切り替えられることを示す。この実装において、第２の増幅器の故障は第１の故障部品（増幅器７）と残りの待機部品（増幅器１）との間であった。そのため、サーキュレータが図示の順序に従って切り替えられるとき、動作通信路は、単一のサーキュレータを切り替えるために使用される時間の間遮断されることになる。
【００３５】
[0046]記載したように、図７Ｄは、増幅器７の故障後に増幅器１０が故障したときの冗長性ネットワーク７００の再構成を例示する。たとえば、増幅器１０が故障すると、サーキュレータモジュール６００−１〜６００−６に対する入力からの通信路は、それらがそれぞれ増幅器１から増幅器６までを通過し、次いでそれぞれサーキュレータモジュール６００−１１〜６００−１６の出力を通り続けるように再構成される。また、サーキュレータモジュール６００−７〜６００−８に対する入力からの通信路は、それらがそれぞれ増幅器８及び増幅器９を通過し、次いでそれぞれサーキュレータモジュール６００−１７〜６００−１８の出力を通り続けるように再構成される。サーキュレータモジュールを再構成するために、サーキュレータモジュールにおけるサーキュレータはサーキュレータ１〜２１を通して示される順序に従って切り替えられる。図示されるように、入力サーキュレータモジュール６００−１〜６００−８における各番号は、出力サーキュレータモジュール６００−１１〜６００−１８における対応サーキュレータ１〜２１を有する。サーキュレータは同じ番号を有して、それらが同時に切り替えられる、又はサーキュレータスイッチコントローラから送られる同じ制御信号で切り替えられることを示す。この実装において、第１の故障部品（増幅器７）は第２の故障部品（増幅器１０）と残りの待機部品（増幅器１）との間であった。そのため、サーキュレータが図示の順序に従って切り替えられるとき、動作通信路は、単一のサーキュレータを切り替えるために使用される時間の間遮断されることになる。
【００３６】
[0047]図８Ａ〜８Ｈは、図３に上述した経路モジュール３００を実装するシステムに対して、増幅器が故障したときの経路モジュールに対する様々なサーキュレータ再構成を例示する。図８Ａは、信号を経路モジュール３００にまっすぐ通過させ、そこで信号が経路モジュール３００の左縁でまっすぐ通過させられた経路モジュール３００から左側への信号経路の再構成を例示する。冗長性ネットワーク内の信号をルート変更するために、サーキュレータスイッチコントローラは待機部品と関連づけられる最も左の経路モジュール３００から始め、最も左の経路モジュール３００において、サーキュレータスイッチコントローラはサーキュレータ３５９及び３６０を時計方向に、かつサーキュレータ対３５７を時計方向に設定する。右側の次の経路モジュール３００において、サーキュレータスイッチコントローラはまずサーキュレータ対３５６を反時計方向に設定し、次いでサーキュレータ３５８及び３６１を時計方向に設定し、次いでサーキュレータ３５９及び３６０を時計方向に設定し、次いでサーキュレータ対３５７を時計方向に設定する。サーキュレータスイッチコントローラは次いで右側の次の経路モジュール３００を再構成し、そこでサーキュレータスイッチコントローラはまずサーキュレータ対３５６を反時計方向に設定し、次いでサーキュレータ３５８及び３６１を時計方向に設定し、次いでサーキュレータ３５９及び３６０を時計方向に設定し、次いでサーキュレータ対３５７を時計方向に設定する。サーキュレータスイッチコントローラは、故障増幅器が切り離されるまで冗長性ネットワークを通して左から右に経路モジュール３００を漸次再構成する。再構成されるべき最後の経路モジュール３００において、スイッチコントローラはサーキュレータ対３５６を反時計方向に設定し、次いでサーキュレータ３５８及び３６１を時計方向に設定する。信号が経路モジュール３００の右縁で通過するとき、同じ再構成がなされてもよい。
【００３７】
[0048]図８Ｂは、信号を経路モジュール３００にまっすぐ通過させ、そこで信号が経路モジュール３００の左縁でまっすぐ通過させられた経路モジュール３００から右側への信号経路の再構成を例示する。冗長性ネットワーク内の信号をルート変更するために、サーキュレータスイッチコントローラは待機部品と関連づけられる最も右の経路モジュール３００から始め、最も右の経路モジュール３００において、サーキュレータスイッチコントローラはサーキュレータ３５９及び３６０を反時計方向に、かつサーキュレータ対３５６を反時計方向に設定する。左側の次の経路モジュール３００において、サーキュレータスイッチコントローラはまずサーキュレータ対３５７を時計方向に設定し、次いでサーキュレータ３５８及び３６１を時計方向に設定し、次いでサーキュレータ３５９及び３６０を反時計方向に設定し、次いでサーキュレータ対３５６を反時計方向に設定する。サーキュレータスイッチコントローラは次いで左側の次の経路モジュール３００を再構成し、そこでサーキュレータスイッチコントローラはまずサーキュレータ対３５７を時計方向に設定し、次いでサーキュレータ３５８及び３６１を時計方向に設定し、次いでサーキュレータ３５９及び３６０を反時計方向に設定し、次いでサーキュレータ対３５６を反時計方向に設定する。サーキュレータスイッチコントローラは、故障増幅器が切り離されるまで冗長性ネットワークを通して右から左に経路モジュール３００を漸次再構成する。再構成されるべき最後の経路モジュール３００において、スイッチコントローラはサーキュレータ対３５７を時計方向に設定し、次いでサーキュレータ３５８及び３６１を時計方向に設定する。信号が経路モジュール３００の右縁で通過するとき、同じ再構成がなされてもよい。
【００３８】
[0049]図８Ｃは、２つのモジュール３００を通して左側の方へ移動して、信号が単一の経路モジュール３００の左縁を通過する単一の経路モジュール３００に戻る信号経路の再構成を例示する。冗長性ネットワーク内の信号をルート変更するために、サーキュレータスイッチコントローラは予備ＬＮＡと関連づけられる最も右の経路モジュール３００から始め、最も右の経路モジュール３００において、サーキュレータスイッチコントローラはサーキュレータ３５９及び３６０を反時計方向に、次いでサーキュレータ対３５６を時計方向に、次いでサーキュレータ３５８及び３６１を反時計方向に設定する。左側の次の経路モジュール３００において、サーキュレータスイッチコントローラはまずサーキュレータ３５９及び３６０を反時計方向に設定し、次いでサーキュレータ対３５６を時計方向に設定し、次いでサーキュレータ３５８及び３６１を反時計方向に設定する。サーキュレータスイッチコントローラは次いで左側の次の経路モジュール３００を再構成し、サーキュレータスイッチコントローラはまずサーキュレータ３５９及び３６０を反時計方向に設定し、次いでサーキュレータ対３５６を時計方向に設定し、次いでサーキュレータ３５８及び３６１を反時計方向に設定する。サーキュレータスイッチコントローラは、故障増幅器が切り離されるまで冗長性ネットワークを通して右から左に経路モジュール３００を漸次再構成する。再構成されるべき最後の経路モジュール３００において、スイッチコントローラはサーキュレータ３５９及び３６０を反時計方向に、次いでサーキュレータ対３５６を時計方向に、次いでサーキュレータ３５８及び３６１を反時計方向に設定する。
【００３９】
[0050]図８Ｄは、２つのモジュール３００を通して右側の方へ移動して、信号が単一の経路モジュール３００の左縁を通過する単一の経路モジュール３００に戻る信号経路の再構成を例示する。冗長性ネットワーク内の信号をルート変更するために、サーキュレータスイッチコントローラは予備ＬＮＡと関連づけられる最も左の経路モジュール３００から始め、最も左の経路モジュール３００において、サーキュレータスイッチコントローラはサーキュレータ３５９及び３６０を反時計方向に、次いでサーキュレータ対３５６を時計方向に、次いでサーキュレータ３５８及び３６１を反時計方向に設定する。右側の次の経路モジュール３００において、サーキュレータスイッチコントローラはまずサーキュレータ３５９及び３６０を反時計方向に設定し、次いでサーキュレータ対３５６を時計方向に設定し、次いでサーキュレータ３５８及び３６１を反時計方向に設定する。サーキュレータスイッチコントローラは次いで右側の次の経路モジュール３００を再構成し、サーキュレータスイッチコントローラはまずサーキュレータ３５９及び３６０を反時計方向に設定し、次いでサーキュレータ対３５６を時計方向に設定し、次いでサーキュレータ３５８及び３６１を反時計方向に設定する。サーキュレータスイッチコントローラは、故障増幅器が切り離されるまで冗長性ネットワークを通して左から右に経路モジュール３００を漸次再構成する。再構成されるべき最後の経路モジュール３００において、スイッチコントローラはサーキュレータ３５９及び３６０を反時計方向に、次いでサーキュレータ対３５６を時計方向に、次いでサーキュレータ３５８及び３６１を反時計方向に設定する。
【００４０】
[0051]図８Ｅは、２つのモジュール３００を通して左側の方へ移動して、信号が単一の経路モジュール３００の右縁を通過する単一の経路モジュール３００に戻る信号経路の再構成を例示する。冗長性ネットワーク内の信号をルート変更するために、サーキュレータスイッチコントローラは予備ＬＮＡと関連づけられる最も右の経路モジュール３００から始め、最も右の経路モジュール３００において、サーキュレータスイッチコントローラはサーキュレータ３５９及び３６０を時計方向に、次いでサーキュレータ対３５７を反時計方向に、次いでサーキュレータ３５８及び３６１を時計方向に設定する。左側の次の経路モジュール３００において、サーキュレータスイッチコントローラはまずサーキュレータ３５９及び３６０を時計方向に設定し、次いでサーキュレータ対３５７を反時計方向に設定し、次いでサーキュレータ３５８及び３６１を時計方向に設定する。サーキュレータスイッチコントローラは次いで左側の次の経路モジュール３００を再構成し、サーキュレータスイッチコントローラはまずサーキュレータ３５９及び３６０を時計方向に設定し、次いでサーキュレータ対３５７を反時計方向に設定し、次いでサーキュレータ３５８及び３６１を時計方向に設定する。サーキュレータスイッチコントローラは、故障増幅器が切り離されるまで冗長性ネットワークを通して右から左に経路モジュール３００を漸次再構成する。再構成されるべき最後の経路モジュール３００において、スイッチコントローラはサーキュレータ３５９及び３６０を時計方向に、次いでサーキュレータ対３５７を反時計方向に、次いでサーキュレータ３５８及び３６１を時計方向に設定する。
【００４１】
[0052]図８Ｆは、２つのモジュール３００を通して右側の方へ移動して、信号が単一の経路モジュール３００の右縁を通過する単一の経路モジュール３００に戻る信号経路の再構成を例示する。冗長性ネットワーク内の信号をルート変更するために、サーキュレータスイッチコントローラは予備ＬＮＡと関連づけられる最も左の経路モジュール３００から始め、最も左の経路モジュール３００において、サーキュレータスイッチコントローラはサーキュレータ３５９及び３６０を時計方向に、次いでサーキュレータ対３５７を反時計方向に、次いでサーキュレータ３５８及び３６１を時計方向に設定する。右側の次の経路モジュール３００において、サーキュレータスイッチコントローラはまずサーキュレータ３５９及び３６０を時計方向に設定し、次いでサーキュレータ対３５７を反時計方向に設定し、次いでサーキュレータ３５８及び３６１を時計方向に設定する。サーキュレータスイッチコントローラは次いで右側の次の経路モジュール３００を再構成し、サーキュレータスイッチコントローラはまずサーキュレータ３５９及び３６０を時計方向に設定し、次いでサーキュレータ対３５７を反時計方向に設定し、次いでサーキュレータ３５８及び３６１を時計方向に設定する。サーキュレータスイッチコントローラは、故障増幅器が切り離されるまで冗長性ネットワークを通して左から右に経路モジュール３００を漸次再構成する。再構成されるべき最後の経路モジュール３００において、スイッチコントローラはサーキュレータ３５９及び３６０を時計方向に、次いでサーキュレータ対３５７を反時計方向に、次いでサーキュレータ３５８及び３６１を時計方向に設定する。
【００４２】
[0053]図８Ｇは、２つのモジュール３００を通して右側の方へ移動して、そこで信号経路が２つのモジュール３００を通して左側の方へ移動する信号経路の再構成を例示する。冗長性ネットワーク内の信号をルート変更するために、サーキュレータスイッチコントローラは予備ＬＮＡと関連づけられる最も左の経路モジュール３００から始め、最も左の経路モジュール３００において、サーキュレータスイッチコントローラはサーキュレータ３５９及び３６０を時計方向に、かつ次いでサーキュレータ対３５７を時計方向に設定する。右側の次の経路モジュール３００において、サーキュレータスイッチコントローラはまずサーキュレータ対３５６を反時計方向に設定し、次いでサーキュレータ３５８及び３６１を反時計方向に設定し、次いでサーキュレータ３５９及び３６０を時計方向に設定し、次いでサーキュレータ対３５７を時計方向に設定する。サーキュレータスイッチコントローラは次いで右側の次の経路モジュール３００を再構成し、そこでサーキュレータスイッチコントローラはまずサーキュレータ対３５６を反時計方向に設定し、次いでサーキュレータ３５８及び３６１を反時計方向に設定し、次いでサーキュレータ３５９及び３６０を時計方向に設定し、次いでサーキュレータ対３５７を時計方向に設定する。サーキュレータスイッチコントローラは、故障増幅器が切り離されるまで冗長性ネットワークを通して左から右に経路モジュール３００を漸次再構成する。再構成されるべき最後の経路モジュール３００において、スイッチコントローラはサーキュレータ対３５６を反時計方向に、次いでサーキュレータ３５８及び３６１を反時計方向に設定する。
【００４３】
[0054]図８Ｈは、２つのモジュール３００を通して左側の方へ移動して、そこで信号経路が２つのモジュール３００を通して右側の方へ移動する信号経路の再構成を例示する。冗長性ネットワーク内の信号をルート変更するために、サーキュレータスイッチコントローラは予備ＬＮＡと関連づけられる最も右の経路モジュール３００から始め、最も右の経路モジュール３００において、サーキュレータスイッチコントローラはサーキュレータ３５９及び３６０を反時計方向に、次いでサーキュレータ対３５６を反時計方向に設定する。左側の次の経路モジュール３００において、サーキュレータスイッチコントローラはまずサーキュレータ対３５７を時計方向に設定し、次いでサーキュレータ３５８及び３６１を時計方向に設定し、次いでサーキュレータ３５９及び３６０を反時計方向に設定し、次いでサーキュレータ対３５６を反時計方向に設定する。サーキュレータスイッチコントローラは次いで左側の次の経路モジュール３００を再構成し、そこでサーキュレータスイッチコントローラはまずサーキュレータ対３５７を時計方向に設定し、次いでサーキュレータ３５８及び３６１を時計方向に設定し、次いでサーキュレータ３５９及び３６０を反時計方向に設定し、次いでサーキュレータ対３５６を反時計方向に設定する。サーキュレータスイッチコントローラは、故障増幅器が切り離されるまで冗長性ネットワークを通して右から左に経路モジュール３００を漸次再構成する。再構成されるべき最後の経路モジュール３００において、スイッチコントローラはサーキュレータ対３５７を時計方向に、次いでサーキュレータ３５８及び３６１を時計方向に設定する。
【００４４】
[0055]図９は、冗長性ネットワークを通しての他の動作通信経路を中断することなく故障部品から待機部品に通信経路を切り替えることが可能である冗長性ネットワーク９００を例示する。ある例示的な実装において、かつ図９に例示されるように、冗長性ネットワーク９００は、８つの異なるサーキュレータモジュールから成る６対１０冗長性ネットワークでもよい。冗長性ネットワーク９００に関して記載の提示される基礎概念が他の冗長性ネットワーク構成に適用可能であるので、他の構成も企図される。例示されるように、冗長性ネットワーク９００は１０個のＬＮＡを含み、８つの経路モジュール３００があり、これは入力及び出力を通して通信することが可能である各経路モジュール３００が、負荷で終端される入力及び出力を有する単一の経路モジュール３００の隣にあるということを除いては、図２Ａに上述した冗長性ネットワーク２１０と同様である。図９に例示されるように、３つ目の経路モジュール３００ごとに負荷で終端される入力及び出力を有する。たとえば、ＬＮＡ４及びＬＮＡ７と関連づけられる経路モジュールは負荷で終端される入力及び出力を有し、したがってＬＮＡ４もＬＮＡ７も、ＬＮＡ１及びＬＮＡ１０とともに初期待機部品である。
【００４５】
[0056]ある実装において、通信路におけるＬＮＡが故障を受けたとき、冗長性ネットワーク９００は、冗長性ネットワーク９００を通してのその他の動作経路のいずれも遮断することなく隣接待機部品を通って通信路を切り替えることが可能である。たとえば、ＬＮＡ３が故障した場合、サーキュレータスイッチコントローラは、Ｊ２からＪ８への通信路がＬＮＡ３を通過する代わりにＬＮＡ４を通過するようにＬＮＡ３及びＬＮＡ４を含む経路モジュール３００におけるサーキュレータを再構成する。上述した初期故障後、他の部品が故障する可能性があるが、その一方で他の動作中通信路を遮断することなく通信路の再構成を依然として可能にする。たとえば、ＬＮＡ２が故障する可能性があり、Ｊ１からＪ７への通信路はＬＮＡ１を通過するように再構成されてもよい。同様に、ＬＮＡ６か、又はＬＮＡ８かが故障する可能性があり、Ｊ４からＪ１０へか、又はＪ５からＪ１１へかのそれぞれの通信路はＬＮＡ７を通過するように再構成されてもよい。また、ＬＮＡ９が故障する可能性があり、Ｊ６からＪ１２への通信路はＬＮＡ１０を通過するように再構成されてもよい。しかしながら、第１の部品が故障し、その関連した通信路が再構成された後、その後の故障に対する冗長性ネットワーク９００の再構成は他の通信路を遮断することがある。その後の部品が故障すると、経路は、図４Ａ〜８Ｈに関して上述したように単一のサーキュレータを切り替えるために使用される時間の間、通信路が遮断されるように再構成されてもよい。
【００４６】
[0057]図１０は、最高２つの故障部品を受けるとき、冗長性ネットワークを通しての他の動作通信経路を中断することなく故障部品から待機部品に通信経路を切り替えることが可能である４対９冗長性ネットワーク１０００を例示する。ある例示的な実装において、かつ図１０に例示されるように、冗長性ネットワーク１０００は、８つの異なるサーキュレータモジュールから成る４対９冗長性ネットワークでもよい。冗長性ネットワーク１０００に関して記載の提示される基礎概念が他の冗長性ネットワーク構成に適用可能であるので、他の構成も企図される。例示されるように、冗長性ネットワーク１０００は９つのＬＮＡを含み、８つの経路モジュール３００があり、これは経路モジュール３００の入力及び出力が、信号を受信するために接続される入力と負荷で終端される入力及び出力との間で交互になるということを除いては、図２Ａに上述した冗長性ネットワーク２１０と同様である。図１０に例示されるように、一つおきの経路モジュール３００は負荷で終端される入力及び出力を有する。たとえば、ＬＮＡ３、ＬＮＡ５、ＬＮＡ７及びＬＮＡ９と関連づけられる経路モジュールは負荷で終端される入力及び出力を有し、したがってＬＮＡ３もＬＮＡ５もＬＮＡ７もＬＮＡ９もＬＮＡ１とともに初期待機部品である。
【００４７】
[0058]ある実装において、通信路におけるＬＮＡが２つの故障を受けたとき、冗長性ネットワーク１０００は、冗長性ネットワーク１０００を通してのその他の動作経路のいずれも遮断することなく隣接待機部品の一方を通って通信路を切り替えることが可能である。たとえば、ＬＮＡ２が故障した場合、サーキュレータスイッチコントローラは、Ｊ１からＪ５への通信路がＬＮＡ２を通過する代わりにＬＮＡ１を通過するようにＬＮＡ２及びＬＮＡ１を含む経路モジュール３００におけるサーキュレータを再構成する。上述した初期故障後、他の部品が故障する可能性があるが、その一方で他の動作中通信路を遮断することなく通信路の再構成を依然として可能にする。たとえば、ＬＮＡ１が故障する可能性があり、Ｊ１からＪ５への通信路はＬＮＡ３を通過するように再構成されてもよい。さらに、故障するＬＮＡに応じて、冗長性ネットワーク１０００は、冗長性ネットワーク１０００を通しての他の動作経路を遮断することなく最高５つのＬＮＡに対する通信路を切り替えることが可能でもよい。しかしながら、２つの部品が故障し、関連した通信路が再構成された後、その後の故障は、他の通信路を遮断する可能性がある冗長性ネットワーク１０００の再構成に至ることがある。
【００４８】
[0059]図１１は、図２Ａにおける冗長性ネットワーク２１０と同様である６対８冗長性ネットワーク１１００を例示する。しかしながら、冗長性ネットワーク２１０とは対照的に、冗長性ネットワーク１１００は、部品に接続されないサーキュレータモジュールを有する一対の経路モジュール３００を含む。さらに、一対の部品がないサーキュレータモジュール３００において、経路モジュール３００の入力及び出力はジャンパ１１０２及び１１０４を通して互いに連結される。冗長性ネットワーク１１００は、導線１１０２及び１１０４が同じ数の待機ＬＮＡを必要とすることなく通信路の再構成を可能にするということを除いては、冗長性ネットワーク９００のように作動通信路を遮断することなく第１の故障を扱うことが可能である。冗長性ネットワーク９００が６つの通信路に対して１０個のＬＮＡを必要とするのに対して、冗長性ネットワーク１１００は６つの通信路に対して８つのＬＮＡを必要とするのみであり、費用節約という結果になる。
【００４９】
[0060]図１２は、図１１に記載される接続導線１１０２及び１１０４で図１０に記載される交互経路モジュールを結合する４対９冗長性ネットワーク１２００を例示する。入力及び出力を有する交互経路モジュール並びに入力及び出力が負荷で終端する経路モジュールに導線１２０２及び１２０４を含めることによって、冗長性ネットワーク１２００は、動作通信路のいずれも中断しなければならないことなく３つのＬＮＡ故障後にサーキュレータを再構成することが可能である。たとえば、ＬＮＡ２、ＬＮＡ１及びＬＮＡ３が順番に故障する可能性があり、導線１２０２及び１２０４は、冗長性ネットワーク１２００を通してのその他の通信路のいずれも遮断することなく、Ｊ１からＪ５への通信路がＬＮＡ７を通過することを可能にする。また、導線１２０２及び１２０４は各通信路が最高４つの故障を受けることを可能にする。さらに、冗長性ネットワーク１０００のように、冗長性ネットワーク１２００は最高５つの合計ＬＮＡ故障を扱うことが可能である。上記の記載に基づいて、冗長性ネットワークが通信路における故障を受けたとき、経路は他の動作通信路に過度に影響を与えることなく再構成されることができる。
【００５０】
[0061]図１３は、上述したように冗長性ネットワークを再構成するための方法１３００のためのフロー図を例示する。方法１３００は１３０２に進み、そこで第１の故障部品が複数の部品において特定される。たとえば、プロセッサ又はサーキュレータスイッチコントローラが、冗長性ネットワークを通しての経路モジュールにおいて部品が故障したことを特定する。方法１３００は１３０４に進み、そこでサーキュレータネットワーク内のサーキュレータが、複数の動作可能部品における第１の動作可能部品が複数の通信路における第１の通信路に接続されるように切り替えられる。本明細書に記載されるように、動作可能部品は、以前に故障していない待機部品、及びまだ故障を受けておらず、かつ現在稼動通信路の一部である稼動部品を含む。さらに、複数の部品における第２の故障部品が特定された場合、第２の故障部品が第２の通信路に接続されているとすると、サーキュレータネットワーク内のサーキュレータは、複数の動作可能部品における第２の動作可能部品が第２の通信路に接続されるように切り替えられてもよい。上述したように、動作可能部品のそれらのそれぞれの通信路への切替えは、それぞれの通信路において使用されるサーキュレータを切り替えるために使用される時間より少ない時間の間通信路を遮断する。
【実施例】
【００５１】
[0062]実施例１は冗長性サーキュレータネットワークであって、第１の複数のサーキュレータモジュールであり、第１の複数の入力であり、第１の複数の入力における各入力を信号が通過する第１の複数の入力と、第１の複数の出力と、第１の複数の入力を第１の複数の出力に接続するように構成される第１の複数のサーキュレータとを備える第１の複数のサーキュレータモジュールと、第２の複数のサーキュレータモジュールであり、第２の複数の入力と、第２の複数の出力であり、第２の複数の出力における各出力を信号が通過する第２の複数の出力と、第２の複数の入力を第２の複数の出力に接続するように構成される第２の複数のサーキュレータとを備える第２の複数のサーキュレータモジュールと、第１の複数の出力に連結され、かつ第２の複数の入力に連結される複数の部品であり、第１の複数のサーキュレータモジュール及び第２の複数のサーキュレータモジュールが、冗長性サーキュレータネットワークに連結されるサーキュレータスイッチコントローラによって提供される信号に基づいて、冗長性サーキュレータネットワークを通して複数の通信路を経由させることが可能であり、複数の部品が複数の稼動部品及び複数の待機部品を含み、複数の待機部品が通信路に接続されておらず、故障を受けていない１つ又は複数の待機部品における待機部品及び故障を受けていない複数の稼動部品における稼動部品が複数の動作可能部品である、複数の部品とを備え、複数の部品における１つ又は複数の部品が故障し、かつ故障した１つ又は複数の部品が複数の通信路における１つ又は複数の通信路に接続されているとき、サーキュレータスイッチコントローラが、複数の待機部品における１つ又は複数の待機部品が複数の通信路における通信路に接続され、１つ又は複数の通信路が複数の動作可能部品における動作可能部品に接続され、かつ故障した１つ又は複数の部品が複数の通信路から切断されるように冗長性サーキュレータネットワークを再構成し、複数の通信路における１つ又は複数の通信路以外の通信路が単一の切替えイベント以下の間遮断される、冗長性サーキュレータネットワークを含む。
【００５２】
[0063]実施例２は実施例１の冗長性サーキュレータネットワークを含み、１つ又は複数の待機部品が２つの待機部品を含む。
[0064]実施例３は実施例２の冗長性サーキュレータネットワークを含み、１つ又は複数の待機部品における各待機部品が冗長性サーキュレータネットワークの反対側に設置される。
【００５３】
[0065]実施例４は実施例１〜３のいずれかの冗長性サーキュレータネットワークを含み、第１の複数のサーキュレータモジュールにおける第１の対のサーキュレータモジュールにおける第１の複数の入力における第１の対の入力がジャンパを通して互いに連結され、かつ第２の複数のサーキュレータモジュールにおける第２の対のサーキュレータモジュールにおける第２の複数の出力における第２の対の出力がジャンパを通して互いに連結される。
【００５４】
[0066]実施例５は実施例４の冗長性サーキュレータネットワークを含み、第１の対のサーキュレータモジュールにおける第１の複数の出力における第１の対の出力が負荷で終端され、かつ第２の対のサーキュレータモジュールにおける第２の複数の入力における第２の対の入力が負荷で終端される。
【００５５】
[0067]実施例６は実施例４〜５のいずれかの冗長性サーキュレータネットワークを含み、第１の対のサーキュレータモジュールにおける第１の複数の出力における第１の対の出力が待機部品に連結され、かつ第２の対のサーキュレータモジュールにおける第２の複数の入力における第２の対の入力が待機部品に連結される。
【００５６】
[0068]実施例７は実施例１〜６のいずれかの冗長性サーキュレータネットワークを含み、複数の待機部品における２つの待機部品が複数の稼動部品における稼動部品によって互いから分離される。
【００５７】
[0069]実施例８は実施例１〜７のいずれかの冗長性サーキュレータネットワークを含み、サーキュレータスイッチコントローラが複数の部品における第１の部品を通過する通信路を、通信路が第１の部品の第１の側の隣の第２の部品及び第１の部品の第２の側の隣の第３の部品の少なくとも１つを通過するように再構成し、複数の通信路における他の通信路が通信路の再構成の間中断なく動作する。
【００５８】
[0070]実施例９は実施例８の冗長性サーキュレータネットワークを含み、サーキュレータスイッチコントローラが、１つ又は複数の部品における第２の部品が故障したとき、第２の部品を通過する通信路を、通信路が第１の部品及び第３の部品の少なくとも１つを通過するように再構成する。
【００５９】
[0071]実施例１０は実施例８〜９のいずれかの冗長性サーキュレータネットワークを含み、サーキュレータスイッチコントローラが、１つ又は複数の部品における第３の部品が故障したとき、第３の部品を通過する通信路を、通信路が第１の部品及び第２の部品の少なくとも１つを通過するように再構成する。
【００６０】
[0072]実施例１１はサーキュレータネットワークを通しての通信路を切り替えるための方法であって、複数の部品における第１の故障部品を特定するステップであって、第１の故障部品が複数の通信路における第１の通信路に接続されており、複数の部品が、通信路に連結されていない１つ又は複数の待機部品及び複数の通信路における１つ又は複数の通信路にそれぞれ連結されている１つ又は複数の稼動部品を含み、以前に故障していない１つ又は複数の待機部品における待機部品及び故障を受けていない１つ又は複数の稼動部品における稼動部品が複数の動作可能部品であるステップと、サーキュレータネットワーク内のサーキュレータを、複数の動作可能部品における第１の動作可能部品が複数の通信路における第１の通信路に接続され、かつ故障部品が第１の通信路から切断されるように切り替えるステップであって、複数の通信路における第１の通信路以外の通信路が単一の切替えイベント以下の間遮断されるステップとを含む方法を含む。
【００６１】
[0073]実施例１２は実施例１１の方法を含み、複数の部品における第２の故障部品を特定するステップであって、第２の故障部品が複数の通信路における第２の通信路に接続されているステップと、サーキュレータネットワーク内のサーキュレータを、複数の動作可能部品における第２の動作可能部品が複数の通信路における第２の通信路に接続され、かつ第２の故障部品が第２の通信路から切断されるように切り替えるステップであって、複数の通信路における第２の通信路以外の通信路が、それぞれの通信路において使用されるサーキュレータを切り替えるために使用される時間未満の間遮断されるステップとをさらに含む。
【００６２】
[0074]実施例１３は実施例１２の方法を含み、第１の通信路及び第２の通信路が同じ経路である。
[0075]実施例１４は実施例１１〜１３のいずれかの方法を含み、１つ又は複数の待機部品が、サーキュレータネットワークの反対側に設置される２つの部品を含む。
【００６３】
[0076]実施例１５は実施例１１〜１４のいずれかの方法を含み、第１の通信路が動作可能部品に接続されるようにサーキュレータを切り替えるステップが、信号がジャンパを通してサーキュレータネットワークへの第１の入力からサーキュレータネットワーク内の第２の入力に通過するようにサーキュレータを切り替えるステップを含む。
【００６４】
[0077]実施例１６は実施例１１〜１５のいずれかの方法を含み、複数の待機部品における２つの待機部品が複数の稼動部品における稼動部品によって互いから分離される。
[0078]実施例１７は実施例１１〜１６のいずれかの方法を含み、第１の通信路が動作可能部品に接続されるようにサーキュレータを切り替えるステップが、それぞれの通信路が複数の部品における第１の部品の第１の側の隣の第２の部品及び第１の部品の第２の側の隣の第３の部品の少なくとも１つを通過するように、通信路が第１の部品を通過するようにサーキュレータを切り替えるステップであって、複数の通信路における他の通信路が通信路の再構成の間中断なく動作するステップを含む。
【００６５】
[0079]実施例１８は実施例１７の方法を含み、第１の通信路が動作可能部品に接続されるようにサーキュレータを切り替えるステップが、複数の部品における第２の部品が故障したとき、それぞれの通信路が、第１の部品及び第３の部品の少なくとも１つを通って第２の部品を通過することから切り替わるようにサーキュレータを切り替えるステップを含む。
【００６６】
[0080]実施例１９は実施例１７の方法を含み、第１の通信路が動作可能部品に接続されるようにサーキュレータを切り替えるステップが、複数の部品における第３の部品が故障したとき、それぞれの通信路が、第１の部品及び第２の部品の少なくとも１つを通って第３の部品を通過することから切り替わるようにサーキュレータを切り替えるステップを含む。
【００６７】
[0081]実施例２０はアンテナアレイであって、第１の複数のサーキュレータモジュールであり、第１の複数の入力であり、第１の複数の入力における各入力を信号が通過する第１の複数の入力と、第１の複数の出力と、第１の複数の入力を第１の複数の出力に接続するように構成される第１の複数のサーキュレータとを備える第１の複数のサーキュレータモジュールと、第２の複数のサーキュレータモジュールであり、第２の複数の入力であり、第２の複数の入力における各入力を信号が通過する第２の複数の入力と、第２の複数の出力と、第２の複数の入力を第２の複数の出力に接続するように構成される第２の複数のサーキュレータとを備える第２の複数のサーキュレータモジュールと、第１の複数のサーキュレータ及び第２の複数のサーキュレータのための循環方向を制御するように構成される少なくとも１つのサーキュレータスイッチコントローラと、第１の複数の出力に連結され、かつ第２の複数の入力に連結される複数の部品であり、第１の複数のサーキュレータモジュール及び第２の複数のサーキュレータモジュールが、冗長性サーキュレータネットワークに連結されるサーキュレータスイッチコントローラによって提供される信号に基づいて、冗長性サーキュレータネットワークを通して複数の通信路を経由させることが可能であり、複数の部品が複数の稼動部品及び複数の待機部品を含み、複数の待機部品が通信路に接続されておらず、故障を受けていない１つ又は複数の待機部品における待機部品及び故障を受けていない複数の稼動部品における稼動部品が複数の動作可能部品であり、複数の部品における１つ又は複数の部品が故障し、かつ故障した部品が複数の通信路における１つ又は複数の通信路に接続されているとき、サーキュレータスイッチコントローラが、複数の待機部品における１つ又は複数の待機部品が複数の通信路における通信路に接続され、１つ又は複数の通信路が複数の動作可能部品における動作可能部品に接続され、かつ故障した１つ又は複数の部品が複数の通信路から切断されるように冗長性サーキュレータネットワークを再構成し、複数の通信路における１つ又は複数の通信路以外の通信路が単一の切替えイベント以下の間遮断される、複数の部品と、アンテナ素子のアレイであり、アンテナ素子が第１の複数のサーキュレータモジュール、第２の複数のサーキュレータモジュール及び複数の部品を通過する信号によって駆動されるアンテナ素子のアレイとを備えるアンテナアレイを含む。
【００６８】
[0082]具体的な実施形態が本明細書に例示及び記載されたが、同じ目的を達成するために計算される任意の配置が図示された具体的な実施形態の代わりに代用されてもよいことが当業者には理解されよう。したがって、本発明が請求項及びその等価物によってのみ限定されることが明白に意図される。
【符号の説明】
【００６９】
１００  システム
１０２  アンテナ
１０３  スイッチングネットワーク
１０４  送受信器
１０６  サーキュレータモジュール
１０８  増幅器
１１０  サーキュレータスイッチコントローラ
２００  サーキュレータモジュール
２０２  部品
２０４  整合負荷
２０６  相互接続ポート
２０７  相互接続ポート
２０８  相互接続子
２０９  相互接続子
２１０  冗長性ネットワーク
２１５  変形サーキュレータモジュール
２５２  サーキュレータ
２５６  サーキュレータ
２５７  サーキュレータ
２５８  サーキュレータ
２５９  サーキュレータ
３００  経路モジュール
３０２  増幅器
３０６  入出力
３０７  入出力
３０８  入出力
３０９  入出力
３１０  入出力
３１１  入出力
３５２  サーキュレータ
３５６  サーキュレータ
３５７  サーキュレータ
３５８  サーキュレータ
３５９  サーキュレータ
３６０  サーキュレータ
３６１  サーキュレータ
４１０  冗長性ネットワーク
６００  サーキュレータモジュール
６００−１〜６００−２０  サーキュレータモジュール
６０２  経路モジュール
６０４  整合負荷
６０６  入出力
６０７  入出力
６０８  入出力
６０９  入出力
６１０  入出力
６１１  入出力
６１２  入出力
６５２  サーキュレータ
６５６  サーキュレータ
６５７  サーキュレータ
６５８  サーキュレータ
６５９  サーキュレータ
６６０  サーキュレータ
６６１  サーキュレータ
７００  冗長性ネットワーク
９００  冗長性ネットワーク
１０００  冗長性ネットワーク
１１００  冗長性ネットワーク
１１０２  導線
１１０４  導線
１２００  冗長性ネットワーク
１２０２  導線
１２０４  導線
Ｊ１〜Ｊ１６  入出力
【図１】
2017098959.tif 000003
【図２Ａ】
2017098959.tif 000004
【図２Ｂ】
2017098959.tif 000005
【図３】
2017098959.tif 000006
【図４Ａ】
2017098959.tif 000007
【図４Ｂ】
2017098959.tif 000008
【図４Ｃ】
2017098959.tif 000009
【図４Ｄ】
2017098959.tif 000010
【図４Ｅ】
2017098959.tif 000011
【図４Ｆ】
2017098959.tif 000012
【図５】
2017098959.tif 000013
【図６Ａ】
2017098959.tif 000014
【図６Ｂ】
2017098959.tif 000015
【図７Ａ】
2017098959.tif 000016
【図７Ｂ】
2017098959.tif 000017
【図７Ｃ】
2017098959.tif 000018
【図７Ｄ】
2017098959.tif 000019
【図８Ａ】
2017098959.tif 000020
【図８Ｂ】
2017098959.tif 000021
【図８Ｃ】
2017098959.tif 000022
【図８Ｄ】
2017098959.tif 000023
【図８Ｅ】
2017098959.tif 000024
【図８Ｆ】
2017098959.tif 000025
【図８Ｇ】
2017098959.tif 000026
【図８Ｈ】
2017098959.tif 000027
【図９】
2017098959.tif 000028
【図１０】
2017098959.tif 000029
【図１１】
2017098959.tif 000030
【図１２】
2017098959.tif 000031
【図１３】
2017098959.tif 000032
【外国語明細書】
2017098959000001.pdf